(57)【特許請求の範囲】
【請求項１】
レンズを保持したレンズ枠がリング状の調整部材に螺合されるとともに該調整部材が筒体に取り付けられ、前記レンズ枠を調整部材に対して回動させてレンズ枠を光軸方向に移動させることにより光軸調整可能なレンズ鏡胴において、
前記調整部材には、前記筒体に弾性をもって係合する弾性係合部が形成されるとともに筒体に対する回動方向の位置を規制する規制部材が形成されていることを特徴とするレンズ鏡胴。
【発明の詳細な説明】
【０００１】
【発明の属する技術分野】
本発明は、レンズを筒体に対して光軸方向に移動させて光軸調整可能な構造のレンズ鏡胴に関する。
【０００２】
【従来の技術】
従来、この種のレンズ鏡胴は、レンズを保持したレンズ枠が調整リングに螺合されるとともに、この調整リングが筒体に取り付けられている。調整リングと筒体との取付構造は、バヨネット式の構造が適用されている。すなわち、調整リングの外周部に等間隔で形成された例えば３枚の爪を、筒体に形成された３カ所の溝の切欠き部に落とし込むとともに、調整リングを回動させて３枚の爪を３カ所の溝に嵌合させる。また、これらの爪と溝との間には板ばねが設けられ、この板ばねの付勢力によって爪が溝に押圧されることにより、調整リングが筒体に取り付けられる。
【０００３】
この後に実施される光軸調整作業は、まず、レンズ枠を調整リングに対して回動させて、レンズ枠をねじの作用により光軸方向に前後移動させる。これによって、レンズ枠と他のレンズとの間隔が調整される。次に、前記バヨネットの爪と溝との嵌合位置を変えて、すなわち、光軸を中心に調整リングを１２０°刻みで回動させることによりレンズを光軸と直交する面内で移動させ、最適な位置を選択する。そして、最適な位置でバヨネットの溝に接着剤を塗布し、調整リングを筒体に接着する。以上が、筒体に対して行われるレンズの光軸調整作業である。なお、レンズはその製法上のバラツキによりレンズの外周部の形状、厚さが微小ではあるがばらついているため、上記方法によって、レンズを光軸を中心に回動させて最適位置を見つける必要があった。
【０００４】
また、レンズ枠と調整リングとの間にガタがあると、光軸調整後にそのガタ分だけ光軸がずれるので、レンズ枠と調整リングとはきつめに螺合されている。
【０００５】
【発明が解決しようとする課題】
しかしながら、前記従来のレンズ鏡胴は、レンズ枠と調整リングとがきつめに螺合されているので、レンズ枠を調整リングに対して回動させたときに、その力が調整リングに伝わって調整リングが筒体に対して回動する場合がある。この場合、板ばねは調整リングとの間の摩擦抵抗によって調整リングと供回りするが、調整リングの回動方向が、筒体に対する板ばねの係合解除方向と同方向であると、板ばねが筒体から脱落するので、光軸調整に手間がかかるという欠点があった。
【０００６】
また、板ばねは、本来、光軸調整用のために設けられているものであるが、光軸調整後に接着剤で筒体に調整リングと一緒に固定されるので、レンズ構成としては無用な板ばねがレンズ鏡胴に残るという問題があった。
【０００７】
本発明は、このような事情に鑑みてなされたもので、レンズ構成としては無用な板ばねを用いることなく光軸調整を簡単に行うことができるレンズ鏡胴を提供することを目的とする。
【０００８】
【課題を解決するための手段】
本発明は、前記目的を達成するために、レンズを保持したレンズ枠がリング状の調整部材に螺合されるとともに該調整部材が筒体に取り付けられ、前記レンズ枠を調整部材に対して回動させてレンズ枠を光軸方向に移動させることにより光軸調整可能なレンズ鏡胴において、前記調整部材には、前記筒体に弾性をもって係合する弾性係合部が形成されるとともに筒体に対する回動方向の位置を規制する規制部材が形成されていることを特徴とする。
【０００９】
本発明によれば、筒体に弾性をもって係合する弾性係合部と筒体に対する回動方向の位置を規制する規制部材とを調整部材に形成したことを特徴としている。これにより、調整部材は、自身に形成された弾性係合部を介して筒体に弾性をもって取り付けられ、また、規制部材によって回動方向の位置が規制されているので、レンズ枠を回動してもレンズ枠と供回りしない。よって、本発明のレンズ鏡胴は、レンズ構成としては無用な板ばねを用いることなく光軸調整を簡単に行うことができる。
【００１０】
【発明の実施の形態】
以下、添付図面に従って本発明に係るレンズ鏡胴の好ましい実施の形態について詳説する。
【００１１】
図１は、実施の形態に係るレンズ鏡胴が適用されるデジタルカメラの斜視図である。同図に示すデジタルカメラ１は、カメラ本体が矩形の箱型に形成され、正面部にはレンズ鏡胴２、ファインダ窓３、ストロボ調光センサ４、セルフタイマーランプ５などが配設されている。また、カメラ本体の上面部には、ポップアップ式のストロボ６、レリーズスイッチ７などが配設され、その背面部には、図示しないファインダ接眼部や液晶表示パネル、操作キーなどが配設されている。レンズ鏡胴２は、沈胴繰り出し式のレンズ鏡胴であり、使用時にはカメラ本体から繰り出され、カメラ本体の正面部から突出する。
【００１２】
図２はレンズ鏡胴２の組立斜視図であり、図３〜図５はレンズ鏡胴２の断面図である。図３は沈胴状態のレンズ鏡胴２を示し、図４はテレ位置のレンズ鏡胴２を示し、図５はワイド位置のレンズ鏡胴２をそれぞれ示している。
【００１３】
図２〜図５の如くレンズ鏡胴２は、第１のレンズ（請求項１に記載のレンズに相当）１１、第２のレンズ１２、第１のレンズ筒（請求項１に記載の筒体に相当）１３、第２のレンズ筒１４、移動筒１５、固定筒１６及び回転筒１７で構成されている。
【００１４】
固定筒１６と回転筒１７とは、図６（Ａ）、（Ｂ）に示すように固定筒１６の周囲に形成された溝４０に、回転筒１７に形成された３枚の爪４２、４４、４６を係合させることにより、回転筒１７が固定筒１６に光軸２０方向のガタが規制された状態で回転自在に支持される。固定筒１６の溝４０は、固定筒１６の端部に形成されたフランジ４８と凸条部５０との間に形成され、凸条部５０には３カ所の切欠き部５２、５４、５６が形成され、これらの切欠き部５２、５４、５６を介して３枚の爪４２、４４、４６が溝４０に係合される。
【００１５】
また、回転筒１７は、外周面にギヤ部１８が形成され、このギヤ部１８にズームモータ１９の駆動が伝達され、これによって、回転筒１７は固定筒１６の外周に接しながら回動される。
【００１６】
図２のレンズ鏡胴２は、回転筒１７が『初期位置』から『中間位置』までの『収納回転域』で回動することで、その状態が図３に示す沈胴位置から図４に示すテレ位置に変更される。また、回転筒１７が、『中間位置』から『終端位置』までの『変倍回転域』で回動することで、図４に示すテレ位置から図５に示すワイド位置に変更される。
【００１７】
回転筒１７の内周面には、第２のレンズ筒１４を光軸２０の方向に移動させるための第２のレンズ用カム溝２１と、移動筒１５を光軸２０の方向にガイドするための移動筒用直進ガイド溝２２とが形成されている。この第２のレンズ用カム溝２１と移動筒用直進ガイド溝２２とは、それぞれ光軸２０の回りの３等分位置に形成されている。
【００１８】
固定筒１６は、その周面に第２のレンズ筒１４を光軸２０の方向に直進的にガイドするための第２のレンズ用直進ガイド溝２３と、移動筒１５を光軸２０の方向に移動させるための移動筒用カム溝２４とが形成されている。第２のレンズ用直進ガイド溝２３と移動筒用カム溝２４とは、それぞれ光軸２０の回りの３等分位置に形成されている。
【００１９】
移動筒１５は、外周面に移動筒用カムピン２５が設けられている。この移動筒用カムピン２５は、光軸２０の回りの３等分位置に設けられ、固定筒１６に形成された移動筒用カム溝２４と、回転筒１７に形成された移動筒用直進ガイド溝２２とに係合されている。この移動筒用カム溝２４と移動筒用直進ガイド溝２２との作用によって、回転筒１７が回転すると、移動筒１５が固定筒１６に対して回転しながら光軸２０の方向に移動する。
【００２０】
移動筒１５の内周面には、第１のレンズ筒１３を光軸２０の方向に移動させるための第１のレンズ用カム溝２６が形成されている。第１のレンズ用カム溝２６は、光軸２０の回りの３等分位置に設けられている。
【００２１】
第１のレンズ筒１３は、その内周面に直進ガイド溝２７が形成される。直進ガイド溝２７は、光軸２０と平行に形成され、第２のレンズ筒１４に形成された直進ガイド突起３０が係合されている。
【００２２】
第１のレンズ筒１３の外周面には、第１のレンズ用カムピン２８が設けられる。第１のレンズ用カムピン２８は、光軸２０の回りの所定の位置に設けられ、移動筒１５の内周面に形成された第１のレンズ用カム溝２６に係合されている。第１のレンズ用カム溝２６と、第２のレンズ筒１４の直進ガイド突起３０による直進ガイドの作用とによって、移動筒１５が回転すると、第１のレンズ筒１３が移動筒１５に対して光軸２０の方向に直進的に移動する。
【００２３】
第２のレンズ筒１４は、その外周面に第２のレンズ用カムピン２９が設けられている。第２レンズ用カムピン２９は、光軸２０の回りの所定の位置に設けられ、回転筒１７の第２のレンズ用カム溝２１と固定筒１６の第２のレンズ用直進ガイド溝２３とに係合されている。第２のレンズ用カム溝２１と第２のレンズ用直進ガイド溝２３との作用によって、回転筒１７が回転すると、第２のレンズ筒１４が固定筒１６に対して光軸２０の方向に直進的に移動する。
【００２４】
また、第２のレンズ筒１４には、固定筒１６との間に一対のばね３７、３７が掛けられている。ばね３７は、光軸２０の回りの所定の位置に設けられ、第２のレンズ筒１４を結像面側に向けて付勢する。
【００２５】
さらに、第２のレンズ筒１４の前端部には、一対のアーム３８、３８が第２のレンズ筒１４回りの不等分位置に一体的に形成される。アーム３８は、第２のレンズ筒１４の前端から細幅で光軸方向に平行に延びた形状であり、その前端部外周には、ガイド部材である直進ガイド突起３０が一体的に形成されている。
【００２６】
直進ガイド突起３０は、第１のレンズ筒１３の内周面に形成された直進ガイド溝２７に係合される。直進ガイド突起３０と直進ガイド溝２７との作用によって、第１のレンズ筒１３が第２のレンズ筒１４に対して光軸方向に直進的にガイドされる。
【００２７】
第１のレンズ筒１３には図３〜図５に示すように、第１のレンズ１１がＣＣＤ（不図示）の光軸２０と光軸合わせされた状態で取り付けられている。
【００２８】
第１のレンズ１１は、図７の第１のレンズ筒１３の組立図、及び図８の第１のレンズ筒１３の断面図に示すように、レンズ枠６０に保持されている。レンズ枠６０は、調整リング（請求項１に記載の調整部材に相当）６２の内周面にねじ部６３を介して螺合連結されている。なお、図３〜図５では、第１のレンズ筒１３の構造を簡略して示しているため、レンズ枠６０及び調整リング６２が省略されるとともに第１のレンズ１１の形状が省略されて示されている。
【００２９】
図７の如く、第１のレンズ筒１３と調整リング６２とは、第１のレンズ筒１３の内周フランジ部６１に形成されたバヨネット溝６４、６４、６４に、調整リング６２の外周部に形成されたバヨネット爪６６、６６、６６を嵌合させることにより取り付けられる。また、内周フランジ部６１には３カ所の切欠き部６５、６５、６５が形成され、これらの切欠き部６５、６５、６５を介して３枚のバヨネット爪６６、６６、６６がバヨネット溝６４、６４、６４に嵌合される。
【００３０】
また、バヨネット爪６６、６６、６６には、半球体状の弾性係合部６８が突出形成されている。この弾性係合部６８は、図９の如くバヨネット爪６６がバヨネット溝６４に嵌合された際に、バヨネット溝６４の内壁面６４Ａに弾性又は所定量塑性変形した状態で付勢されて係合される。これにより、調整リング６２は、第１のレンズ筒１３に対し、光軸方向のガタが除去された状態で取り付けられる。
【００３１】
また、３枚のバヨネット爪６６、６６、６６のうち１枚のバヨネット爪６６には、図７、図１０（Ａ）に示す回動規制用ストッパ片（請求項１の規制部材に相当）７０が一体に形成されている。このストッパ片７０は、前述の如くバヨネット爪６６を図７、図１０（Ａ）の切欠き部６５に挿入してバヨネット溝６４に嵌合させた時に、切欠き部６５に脱落し、図７、図１０（Ａ）の内側フランジ部７２に形成された切欠き面７３に当接する。これにより、第１のレンズ筒１３に対する調整リング６２の回動が規制される。
【００３２】
また、内側フランジ部７２の切欠き面７３には、図１０（Ｂ）に示す治具挿入用溝７４が形成される。この治具挿入用溝７４に沿って治具を挿入することにより、切欠き面７３に対するストッパ片７０の当接を治具によって解除することができる。
【００３３】
さらに、図８の如く、第１のレンズ筒１３の前面には、ドーナツ状に形成された化粧板７６が取り付けられる。この化粧板７６は図９の如く、第１のレンズ筒１３の内周フランジ部６１と、この内周フランジ部６１と面一になるように延出形成された調整リング６２の左側環状端面６７とに接着される。左側環状端面６７をこのように延出形成することによって、化粧板７６の接着面積が確保されている。
【００３４】
次に、前記の如く構成された第１のレンズ筒１３に対する第１のレンズ１１の光軸調整作業について説明する。
【００３５】
まず、第１のレンズ１１を保持したレンズ枠６０を調整リング６２に螺合する。次に、調整リング６２を第１のレンズ筒１３に取り付ける。この時には、バヨネット爪６６、６６、６６を、任意に選択したバヨネット溝６４、６４、６４に嵌合させる。これにより、第１のレンズ１１が第１のレンズ筒１３に取り付けられる。
【００３６】
そして、この後に実施される光軸調整作業は、まず、レンズ枠６０を調整リング６２に対して回動させて、レンズ枠６０をねじ６３の作用により光軸２０方向に前後移動させて他のレンズとの間隔を調整する。この時、調整リング６２は、ストッパ片７０が内側フンランジ部７２の切欠き面７３に当接されて回動が規制されているので、レンズ枠６０と一緒に供回りすることはない。
【００３７】
次に、この状態で第１のレンズ１１の光軸とＣＣＤ（不図示）の光軸２０とが合っているか否か確認し、合っていない場合には、切欠き面７３に対するストッパ片７０の当接を治具によって解除するとともに、バヨネットの嵌合解除方向に調整リング６２を回して、調整リング６２を第１のレンズ筒１３から取り外す。
【００３８】
次いで、バヨネット溝６４とバヨネット爪６６とが１２０°間隔で形成されている関係により、位置調整リング６２を光軸を中心に１２０°刻みで回動させることによって、第１のレンズ１１を光軸と直交する面内で移動させ、最適な位置を選択する。そして、最適な位置で調整リング６２を第１のレンズ筒１３に再び取り付ける。以上で、第１のレンズ筒１３に対する第１のレンズ１１の光軸調整作業が終了する。
【００３９】
このように、実施の形態のレンズ鏡胴２にれば、第１のレンズ筒１３に弾性をもって係合する弾性係合部６８と、第１のレンズ筒１３に対する回動方向の位置を規制するストッパ片７０とを調整リング６２に一体形成したので、レンズ構成としては無用な板ばねを用いることなく光軸調整を簡単に行うことができる。
【００４０】
【発明の効果】
以上説明したように本発明に係るレンズ鏡胴によれば、筒体に弾性をもって係合する弾性係合部と筒体に対する回動方向の位置を規制する規制部材とを調整部材に形成したので、レンズ構成としては無用な板ばねを用いることなく光軸調整を簡単に行うことができる。
【図面の簡単な説明】
【図１】デジタルカメラの外観構成を示す斜視図
【図２】レンズ鏡胴の組立斜視図
【図３】沈胴位置の状態のレンズ鏡胴を示した断面図
【図４】テレ位置の状態のレンズ鏡胴を示した断面図
【図５】ワイド位置の状態のレンズ鏡胴を示した断面図
【図６】固定筒と回転筒の組立斜視図
【図７】レンズ枠と調整リングと第１のレンズ筒との組立斜視図
【図８】レンズ枠と調整リングと第１のレンズ筒の断面図
【図９】調整リングに形成された弾性係合部の係合状態を示す拡大断面図
【図１０】調整リングに形成された回動規制用ストッパ片が第１のレンズ筒に係合される説明図
【符号の説明】
１…デジタルカメラ、２…レンズ鏡胴、１１…第１のレンズ、１２…第２のレンズ、１３…第１のレンズ筒、１４…第２のレンズ筒、１５…移動筒、１６…固定筒、１７…回転筒、２０…光軸、２７…直進ガイド溝、３０…直進ガイド突起、４０…溝、４２、４４、４６…爪、５２、５４、５６…切欠き部、６０…レンズ枠、６２…調整リング、６４…バヨネット溝、６６…バヨネット爪、６８…弾性係合部、７０…回動規制用ストッパ片
【図１】
0003925704.tif 000002
【図２】
0003925704.tif 000003
【図３】
0003925704.tif 000004
【図４】
0003925704.tif 000005
【図５】
0003925704.tif 000006
【図６】
0003925704.tif 000007
【図７】
0003925704.tif 000008
【図８】
0003925704.tif 000009
【図９】
0003925704.tif 000010
【図１０】
0003925704.tif 000011